(57)【要約】      （修正有）【課題】低温環境下においてＣＡ法を適用して青果物を貯蔵する際に、青果物の鮮度を長期に保持できる青果物の貯蔵装置および青果物の貯蔵方法を提供することである。【解決手段】貯蔵庫内の空気の酸素濃度および二酸化炭素濃度を調節して、青果物を貯蔵する貯蔵装置１であって、貯蔵庫内の空気の湿度を調節する湿度調節手段１００と、貯蔵庫内の空気の温度を調節する温度調節手段と、貯蔵庫内の空気の酸素濃度および二酸化炭素濃度を調節するガス濃度調節手段３００と、当該貯蔵装置の全体の動作を制御する制御手段４００と、を有し、湿度調節手段は、脂肪族多価アルコールを含む調湿液と貯蔵庫内の空気とを気液接触させる気液接触手段１２０と、気液接触手段において貯蔵庫内の空気と気液接触される調湿液の濃度を調節する濃度調節手段１４０と、濃度調節手段が調湿液の濃度を調節することにより、貯蔵庫内の空気の湿度を調節する。【選択図】図１
2018169124.tif 000002
【特許請求の範囲】
【請求項１】
低温環境下の貯蔵庫内において、前記貯蔵庫内の空気の酸素濃度および二酸化炭素濃度を低酸素濃度および高二酸化炭素濃度に調節して、青果物を貯蔵する貯蔵装置であって、
前記貯蔵庫内の前記空気の湿度を調節する湿度調節手段と、
前記貯蔵庫内の前記空気の温度を調節する温度調節手段と、
前記貯蔵庫内の前記空気の酸素濃度および二酸化炭素濃度を調節するガス濃度調節手段と、
当該貯蔵装置の全体の動作を制御する制御手段と、を有し、
前記湿度調節手段は、脂肪族多価アルコールを含む調湿液と前記貯蔵庫内の前記空気とを気液接触させる気液接触手段と、前記気液接触手段において前記貯蔵庫内の前記空気と気液接触される前記調湿液の濃度を調節する濃度調節手段と、前記気液接触手段において気液接触された前記空気に含まれる前記調湿液の液滴を捕集する液滴捕集手段と、を有し、
前記濃度調節手段が前記調湿液の濃度を調節することにより、前記貯蔵庫内の前記空気の湿度を調節する、貯蔵装置。
【請求項２】
前記ガス濃度調節手段は、前記貯蔵庫内の前記空気の酸素濃度を調節する酸素濃度調節部を有し、
前記酸素濃度調節部は、前記貯蔵庫内に窒素ガスを供給する窒素ガス供給部と、前記貯蔵庫内の前記空気の酸素濃度を計測する酸素濃度計測部と、を有する、請求項１に記載の貯蔵装置。
【請求項３】
前記貯蔵庫は、当該貯蔵庫の底面側に配置され、前記窒素ガス供給部に接続されたガス取り入れ部と、当該貯蔵庫の上面側に配置され、当該貯蔵庫内の上面側の前記空気を前記貯蔵庫の外部に排出するガス排出部と、を有し、
前記窒素ガス供給部は、前記ガス取り入れ部を介して、前記貯蔵庫内に前記窒素ガスを供給し、
前記ガス排出部は、前記窒素ガス供給部から、前記ガス取り入れ部を介して前記貯蔵庫内に前記窒素ガスが供給されるのに伴って、前記貯蔵庫内の上面側の前記空気を前記貯蔵庫の外部に排出する、請求項２に記載の貯蔵装置。
【請求項４】
前記貯蔵庫は、前記青果物を収蔵する貯蔵空間を備え、
前記ガス取り入れ部は、前記貯蔵空間の床面を構成する床板と、前記貯蔵庫の底面と前記床板との間に空間部と、を備えた二重床と、前記空間部に配置され、前記窒素ガス供給部に接続されたガス流出パイプと、を有し、
前記床板は、前記空間部に臨む面から前記貯蔵空間に臨む面に向かって連通する複数の床板開口部を有し、
前記ガス流出パイプは、前記窒素ガス供給部から供給された前記窒素ガスを前記空間部に流出させる、請求項３に記載の貯蔵装置。
【請求項５】
前記湿度調節手段は、前記貯蔵庫内の前記空気の湿度を７０〜９８％の範囲内に調節し、
前記温度調節手段は、前記貯蔵庫内の前記空気の温度を−３〜１５℃の範囲内に調節し、
前記ガス濃度調節手段は、前記貯蔵庫内の前記空気の酸素濃度を０〜２０％の範囲内に調節するとともに、前記貯蔵庫内の前記空気の二酸化炭素濃度を０〜１０％の範囲内に調節する、請求項１〜４のいずれか１項に記載の貯蔵装置。
【請求項６】
前記青果物は、柑橘類である、請求項１〜５のいずれか１項に記載の貯蔵装置。
【請求項７】
前記青果物は、ヘベスである、請求項６に記載の貯蔵装置。
【請求項８】
前記湿度調節手段は、前記貯蔵庫内の前記空気の湿度を９６％に調節し、
前記温度調節手段は、前記貯蔵庫内の前記空気の温度を５℃に調節し、
前記ガス濃度調節手段は、前記貯蔵庫内の前記空気の酸素濃度を８〜１０％の範囲内に調節するとともに、前記貯蔵庫内の前記空気の二酸化炭素濃度を２〜６％の範囲内に調節する、請求項６または請求項７に記載の貯蔵装置。
【請求項９】
低温環境下の貯蔵庫内において、前記貯蔵庫内の空気の酸素濃度および二酸化炭素濃度を低酸素濃度および高二酸化炭素濃度に調節して、青果物を貯蔵する方法であって、
前記貯蔵庫内の前記空気の湿度を調節し、
前記貯蔵庫内の前記空気の温度を調節し、
前記貯蔵庫内の前記空気の酸素濃度および二酸化炭素濃度を調節し、
前記貯蔵庫内の前記空気の湿度を調節する際には、脂肪族多価アルコールを含む調湿液の濃度を調節し、濃度を調節した前記調湿液と前記貯蔵庫内の前記空気とを気液接触させることにより、前記貯蔵庫内の前記空気の湿度を調節し、
前記貯蔵庫内の前記空気の湿度を調節する際には、気液接触された前記貯蔵庫内の前記空気に含まれる前記調湿液の液滴を捕集する、貯蔵方法。
【請求項１０】
前記貯蔵庫内の前記空気の湿度、温度、酸素濃度および二酸化炭素濃度を調節する前に、前記貯蔵庫内の前記空気の酸素濃度を初期酸素濃度に初期設定し、前記貯蔵庫内の前記空気の二酸化炭素濃度を初期二酸化炭素濃度に初期設定し、
前記貯蔵庫内の前記空気の湿度、温度、酸素濃度および二酸化炭素濃度の調節は、前記貯蔵庫内の前記空気を撹拌した状態で行い、酸素濃度の前記初期設定は、前記貯蔵庫内の前記空気の撹拌を停止した状態で行う、請求項９に記載の貯蔵方法。
【請求項１１】
前記貯蔵庫内の前記空気の酸素濃度を前記初期酸素濃度に初期設定する際には、前記貯蔵庫内に窒素ガスを供給し、前記窒素ガスを供給することによって変化した前記貯蔵庫内の前記空気の酸素濃度を計測し、計測した前記貯蔵庫内の前記空気の酸素濃度が前記初期酸素濃度に達したときに前記窒素ガスの供給を停止し、前記貯蔵庫内の前記空気の酸素濃度を計測する際には、前記貯蔵庫内に供給された前記窒素ガスの量を計測し、前記窒素ガスが供給される前の前記貯蔵庫内の前記空気の酸素濃度と、計測された前記窒素ガスの量と、に基づいて、前記窒素ガスを供給することによって変化した前記貯蔵庫内の前記空気の酸素濃度を算出する、請求項１０に記載の貯蔵方法。
【請求項１２】
前記貯蔵庫内に前記窒素ガスを供給する際には、前記貯蔵庫の底面側から前記窒素ガスを供給し、前記貯蔵庫内の上面側の前記空気を前記貯蔵庫外に排出し、
前記貯蔵庫内に供給された前記窒素ガスの量を計測する際には、前記貯蔵庫内に配置された酸素濃度計を鉛直方向に沿って上下に移動することによって、前記貯蔵庫内の前記空気の酸素濃度の鉛直方向における変化を計測し、計測された酸素濃度が、第１酸素濃度から、前記第１酸素濃度よりも低い第２酸素濃度に変化する酸素濃度境界の鉛直方向における位置を検出し、検出された酸素濃度境界の鉛直方向における位置に基づいて、前記貯蔵庫内に供給された前記窒素ガスの量を算出する、請求項１１に記載の貯蔵方法。
【請求項１３】
前記貯蔵庫内の前記空気の酸素濃度を前記初期酸素濃度に初期設定する際には、窒素ガスを冷却し、冷却した前記窒素ガスを前記貯蔵庫の底面側から前記貯蔵庫内に供給し、前記貯蔵庫の前記底面側に前記窒素ガスの層を形成するとともに、前記窒素ガスを前記貯蔵庫内に供給する前に前記貯蔵庫内に存在していた前記空気を前記貯蔵庫の上面側に移動させることによって、前記貯蔵庫内の前記空気を温度成層状態にし、前記貯蔵庫内の前記上面側の前記空気を前記貯蔵庫の外部に排出する、請求項１０〜１２のいずれか１項に記載の貯蔵方法。
【発明の詳細な説明】
【技術分野】
【０００１】
本発明は、収穫後においても呼吸作用および蒸散作用が活発な青果物を貯蔵する青果物の貯蔵装置および青果物の貯蔵方法に関する。
【背景技術】
【０００２】
青果物を貯蔵する青果物の貯蔵装置は、青果物を貯蔵する貯蔵庫と、貯蔵庫内の空気の湿度を調節する湿度調節手段と、貯蔵庫内の空気の温度を調節する温度調節手段と、を有する。
【０００３】
近年、付加価値の高い青果物を市場に供給する観点から、収穫後の新鮮な野菜や果実などの青果物の鮮度を長期に保持する技術の高度化が望まれている。青果物は、収穫後においても呼吸しており、呼吸作用によって生化学反応が進行し、エネルギー消耗や劣化、追熟等が生じる。青果物の鮮度を長期に保持するためには、気温及び相対湿度を最適値で保持するのみならず、青果物の呼吸を可能な限り抑制する必要がある。
【０００４】
青果物の貯蔵装置は、低温環境下において青果物を貯蔵することにより青果物の呼吸を抑制するが、低温環境下において青果物を貯蔵することのみで青果物の呼吸を抑制するには限界がある。青果物の呼吸をさらに抑制する方法として、貯蔵庫内の空気を、低酸素濃度および高二酸化炭素濃度に調節するＣＡ（Ｃｏｎｔｒｏｌｌｅｄ  Ａｔｍｏｓｐｈｅｒｅ）法が知られている（例えば、特許文献１参照）。
【先行技術文献】
【特許文献】
【０００５】
【特許文献１】特公平８−４４５２号公報
【発明の概要】
【発明が解決しようとする課題】
【０００６】
一方、青果物は、蒸散作用によって水分が失われやすいため、青果物の貯蔵装置は、青果物を乾燥から保護するために、貯蔵庫内の空気の湿度を調節する。しかしながら、空気は、温度が低下すると飽和蒸気圧が低下するため、低温環境下において貯蔵庫内の空気の湿度を調節すると、貯蔵庫内の空気に飽和できなくなった水分が凝縮して、貯蔵庫内にミストとなって浮遊しやすい。そのため、低温環境下において青果物を貯蔵する青果物の貯蔵装置にＣＡ法を適用すると、貯蔵庫内の空気に含まれる高濃度の二酸化炭素が、貯蔵庫内に浮遊するミストに溶解して、ミストが炭酸水となり酸性化する。酸性化したミストは、貯蔵されている青果物に付着して果皮の病害を発生するなど、青果物の鮮度を長期に保持する上で弊害となる。
【０００７】
例えば０〜１０℃、特に０〜５℃の低温環境下において、貯蔵庫内にミストを発生させることなく、貯蔵庫内の空気の湿度を高精度に調節・維持することは極めて困難である。そのため、青果物の貯蔵装置にＣＡ法を適用する際に、貯蔵庫内に浮遊するミストが青果物の鮮度の長期保持に与える影響について十分な検討がなされてこなかった。本発明者らは、青果物の鮮度を長期に保持する上で、貯蔵庫内の空気の温度、酸素濃度および二酸化炭素濃度を調節・維持することのみならず、貯蔵庫内にミストを発生させることなく、貯蔵庫内の空気の湿度を高精度に調節・維持することが重要な要素であることを見出した。
【０００８】
本発明は上述した課題に鑑みてなされたものであり、低温環境下においてＣＡ法を適用して青果物を貯蔵する際に、貯蔵庫内の空気の湿度を調節することに起因して貯蔵庫内にミストが発生・浮遊することを防止して、酸性化したミストが貯蔵されている青果物に付着することを抑制し、もって、青果物の鮮度を長期に保持できる青果物の貯蔵装置および青果物の貯蔵方法を提供することを目的とする。
【課題を解決するための手段】
【０００９】
上記目的を達成するための本発明に係る青果物の貯蔵装置は、低温環境下の貯蔵庫内において、前記貯蔵庫内の空気の酸素濃度および二酸化炭素濃度を低酸素濃度および高二酸化炭素濃度に調節して、青果物を貯蔵する貯蔵装置である。本発明に係る青果物の貯蔵装置は、前記貯蔵庫内の空気の湿度を調節する湿度調節手段と、前記貯蔵庫内の前記空気の温度を調節する温度調節手段と、前記貯蔵庫内の前記空気の酸素濃度および二酸化炭素濃度を調節するガス濃度調節手段と、当該貯蔵装置の全体の動作を制御する制御手段と、を有する。前記湿度調節手段は、脂肪族多価アルコールを含む調湿液と前記貯蔵庫内の前記空気とを気液接触させる気液接触手段と、前記気液接触手段において前記貯蔵庫内の前記空気と気液接触される前記調湿液の濃度を調節する濃度調節手段と、前記気液接触手段において気液接触された前記空気に含まれる前記調湿液の液滴を捕集する液滴捕集手段と、を備え、前記濃度調節手段が前記調湿液の濃度を調節することにより、前記貯蔵庫内の前記空気の湿度を調節する。
【００１０】
また、上記目的を達成するための本発明に係る青果物の貯蔵方法は、低温環境下の貯蔵庫内において、前記貯蔵庫内の空気の酸素濃度および二酸化炭素濃度を低酸素濃度および高二酸化炭素濃度に調節して、青果物を貯蔵する方法である。上記目的を達成するための本発明に係る青果物の貯蔵方法は、前記貯蔵庫内の空気の湿度を調節し、前記貯蔵庫内の前記空気の温度を調節し、前記貯蔵庫内の前記空気の酸素濃度および二酸化炭素濃度を調節する。前記貯蔵庫内の前記空気の湿度を調節する際には、脂肪族多価アルコールを含む調湿液の濃度を調節し、濃度を調節した前記調湿液と前記貯蔵庫内の前記空気とを気液接触させることにより、前記貯蔵庫内の前記空気の湿度を調節する。
【発明の効果】
【００１１】
本発明に係る青果物の貯蔵装置および青果物の貯蔵方法は、脂肪族多価アルコールを含む調湿液の濃度を調節し、濃度を調節した調湿液と貯蔵庫内の空気とを気液接触させる。これにより、濃度を調節した調湿液の水蒸気圧が、気液接触される空気の水蒸気圧よりも高いときは、調湿液側から空気側に水分が蒸発する。逆に、濃度を調節した調湿液の水蒸気圧が、気液接触される空気の水蒸気圧よりも低いときは、空気側から調湿液側に水分が吸収される。そのため、本発明に係る青果物の貯蔵装置および青果物の貯蔵方法では、湿度が調節された空気中に過剰な水分が含まれることを防止しつつ、貯蔵庫内の空気の湿度を調節できる。さらに、本発明に係る青果物の貯蔵装置および青果物の貯蔵方法は、貯蔵庫内の空気に飽和できなくなった過剰な水分が、調湿液側に自律的に吸収・凝縮される。その結果、本発明に係る青果物の貯蔵装置および青果物の貯蔵方法は、貯蔵庫内の空気の湿度を調節することに起因して、貯蔵庫内にミストが発生・浮遊することを防止できる。よって、本発明に係る青果物の貯蔵装置および青果物の貯蔵方法は、貯蔵庫内の空気に含まれる高濃度の二酸化炭素が、貯蔵庫内に浮遊するミストに溶解して、ミストが酸性化し、貯蔵されている青果物に付着することを抑制できる。したがって、本発明に係る青果物の貯蔵装置および青果物の貯蔵方法によれば、低温環境下においてＣＡ法を適用して青果物を貯蔵する際に、貯蔵庫内の空気の湿度を調節することに起因して貯蔵庫内にミストが発生・浮遊することを防止して、酸性化したミストが貯蔵されている青果物に付着することを抑制し、もって、青果物の鮮度を長期に保持できる。
【図面の簡単な説明】
【００１２】
【図１】実施形態に係る青果物の貯蔵装置を説明するための概略図である。
【図２】同貯蔵装置の濃度調節手段を説明するための概略図である。
【図３】プロピレングリコール水溶液の濃度と水蒸気圧の関係を示すグラフである。
【図４】同貯蔵装置のガス濃度調節手段を説明するための概略図である。
【図５】同貯蔵装置の貯蔵庫の部分断面図である。
【図６】実施形態に係る青果物の貯蔵方法を説明するためのフローチャートである。
【図７】同貯蔵方法における酸素濃度を初期設定するステップを説明するためのフローチャートである。
【図８】同貯蔵方法における酸素濃度および二酸化炭素濃度を調節するステップを説明するためのフローチャートである。
【図９】同貯蔵方法における二酸化炭素濃度を調節するステップを説明するためのフローチャートである。
【図１０】同貯蔵方法における酸素濃度を調節するステップを説明するためのフローチャートである。
【図１１】実施例に係る青果物の貯蔵装置および貯蔵方法を使用したヘベスの鮮度保持実験結果を説明するための図であって、貯蔵期間中の一日の貯蔵庫内の空気の相対湿度変化および温度変化を示す図である。
【図１２】同貯蔵装置および同貯蔵方法を使用したヘベスの鮮度保持実験における貯蔵されたヘベスの外観変化を示す写真である。
【図１３】同貯蔵装置および同貯蔵方法を使用したヘベスの鮮度保持実験における貯蔵されたヘベスの重量変化を示すグラフである。
【発明を実施するための形態】
【００１３】
以下、添付した図面を参照しながら、本発明の実施形態について説明する。図面の説明において同一の要素には同一の符号を付し、重複する説明を省略する。図面における各部材の大きさや比率は、説明の都合上誇張され実際の大きさや比率とは異なる場合がある。なお、図中において、Ｚは、鉛直方向を示している。
【００１４】
＜貯蔵装置＞
図１および図２を参照して、本実施形態に係る青果物の貯蔵装置１は、低温環境下の貯蔵庫１０内において、貯蔵庫１０内の空気の酸素濃度および二酸化炭素濃度を低酸素濃度および高二酸化炭素濃度に調節して、青果物を貯蔵する貯蔵装置である。
【００１５】
貯蔵装置１は、青果物を収蔵する貯蔵庫１０と、貯蔵庫１０内に配置された送風手段２０と、貯蔵庫１０内に配置された青果物用の防風ユニット３０と、貯蔵庫１０内のエチレンガスを除去するエチレンガス除去手段４０と、貯蔵庫１０内の空気の湿度を調節する湿度調節手段１００と、貯蔵庫１０内の空気の温度を調節する温度調節手段２００と、貯蔵庫１０内の空気の酸素濃度と二酸化炭素濃度を調節するガス濃度調節手段３００と、青果物の貯蔵装置１の全体の動作を制御する制御手段４００と、を有する。なお、本明細書において、「湿度」とは、相対湿度を意味する。
【００１６】
＜青果物＞
貯蔵装置１によって貯蔵される青果物の種類は特に限定されず、例えば、ヘベス、ユズ、スダチ、カボス、ジャバラなどの柑橘類、ブロッコリー、ホウレンソウ、コマツナ、ナバナ、シュンギク、チンゲンサイ、レタス、アスパラガスのような葉茎菜類、ピーマン、パプリカ、ニガウリ、エダマメ、スイートコーン、キュウリ、オクラ、ナス、トマト、ミニトマト、アオウメのような果菜類、イチゴ、バナナ、ブドウ、和梨、西洋梨、イチジク、ビワ、リンゴのような果実類、ナガイモ、甘藷、里芋、ゴボウのような根菜類、シイタケ、シメジ、エリンギ、マイタケ、マツタケのような菌茸類（キノコ類）、および菊、ユリのような切り花等である。
【００１７】
＜貯蔵庫＞
貯蔵庫１０は、青果物を内部に収蔵する貯蔵空間ＳＡを備える。貯蔵空間ＳＡは、密閉された空間として構成される。図１では、貯蔵庫１０の形状が直方体の場合を例示しているが、貯蔵庫１０の形状は特に限定されない。貯蔵庫１０は、青果物を貯蔵庫１０内に搬入するための搬入口（図示省略）を有する。
【００１８】
貯蔵庫１０内には、貯蔵庫１０内の空気の温度および湿度（相対湿度）を計測する温湿度計ＴＨと、貯蔵庫１０内の空気の圧力を計測する圧力計ＰＭと、が配置されている。
【００１９】
＜送風手段＞
送風手段２０は、貯蔵庫１０内の空気を撹拌する。送風手段２０は、貯蔵庫１０内の空気を環状に循環させる。送風手段２０は、貯蔵庫１０内の空気を吸入するとともに、吸入した空気を貯蔵庫１０内に送風する。送風手段２０は、公知の送風機を使用して構成できる。
【００２０】
＜防風ユニット＞
防風ユニット３０は、送風手段２０が貯蔵庫１０内の空気を撹拌することによって貯蔵庫１０内を流動する空気が、貯蔵庫１０内に収蔵されている青果物に直接的に当たるのを防止する。
【００２１】
貯蔵空間ＳＡには、青果物が収蔵される収蔵領域ＳＡ１が設定されている。防風ユニット３０は、防風カーテン（図示省略）を有する。防風カーテンは、送風手段２０が送風することによって流動する貯蔵庫１０内の空気の流れ方向において青果物の収蔵領域ＳＡ１の風上及び周囲に配置されている。防風カーテンは、青果物の収蔵領域ＳＡ１の風上側及び全周囲から青果物の収蔵領域ＳＡ１に流入する空気の流量を調節する複数の開口部を備える。
【００２２】
＜エチレンガス除去手段＞
エチレンガス除去手段４０は、貯蔵庫１０内のエチレンガスを除去する。エチレンガス除去手段４０は、エチレンガスを吸収して除去する薬剤を備える。エチレンガスを吸収して除去する薬剤の種類は特に限定されず、公知の薬剤を使用できる。
【００２３】
＜湿度調節手段＞
湿度調節手段１００は、脂肪族多価アルコールを含む調湿液１１０と、貯蔵庫１０内の空気と調湿液１１０とを気液接触させる気液接触手段１２０と、調湿液１１０を収容する調湿液タンク１３０と、気液接触手段１２０において貯蔵庫１０内の空気と気液接触される調湿液１１０の濃度を調節する濃度調節手段１４０と、気液接触手段１２０において気液接触された空気に含まれる調湿液１１０の液滴を捕集する液滴捕集手段１５０と、を有する。
【００２４】
湿度調節手段１００は、貯蔵庫１０内の空気の湿度を７０〜９８％の範囲内に調節する。例えば、貯蔵装置１によって貯蔵される青果物が柑橘類の場合、湿度調節手段１００は、貯蔵庫１０内の空気の湿度を９６％程度に調節する。
【００２５】
＜調湿液＞
調湿液１１０は、例えば、食品添加物用プロピレングリコール水溶液である。図３を参照して、プロピレングリコール水溶液の水蒸気圧は、プロピレングリコール水溶液の温度が一定の場合、プロピレングリコール水溶液の濃度が低くなるほど高くなる。
【００２６】
調湿液１１０の種類は、調湿液１１０の水蒸気圧が、調湿液１１０の温度が一定の場合、調湿液１１０の濃度が低くなるほど高くなる限りにおいて限定されないが、さらに、次の特性を有することが好ましい。すなわち、調湿液１１０は、（１）氷点下でも凍結しない不凍液性、すなわち、氷点下でも調湿液１１０の輸送、滴下、気液接触が可能であること、（２）調湿液１１０の濃度再生が容易に実施できる（例えば、調湿液１１０を加熱して水分を蒸発させることによって濃度再生が実施できる）こと、という特性をさらに有することが好ましい。プロピレングリコール水溶液は、上記（１）および（２）の特性を有する。
【００２７】
＜気液接触手段＞
図１を参照して、気液接触手段１２０は、貯蔵庫１０内の空気と調湿液１１０とを気液接触させる気液接触部１２１と、気液接触部１２１に調湿液１１０を滴下する滴下部１２２と、を有する。
【００２８】
気液接触手段１２０は、滴下部１２２から気液接触部１２１に調湿液１１０を滴下させるとともに、貯蔵庫１０内の空気を当該気液接触部１２１に通過させる。
【００２９】
気液接触部１２１は、繊維状骨格構造を有する板状の部材である。気液接触部１２１として、例えば、旭化成ホームプロダクツ株式会社が製造しているサランロック（登録商標）を使用できる。
【００３０】
滴下部１２２は、気液接触部１２１に調湿液１１０を滴下する。滴下部１２２は、低圧力かつ均一な流量で調湿液１１０を気液接触部１２１へ滴下する。滴下部１２２は、例えば、株式会社いけうち製の超低圧広角扇形ノズルを多数連結して構成できる。
【００３１】
気液接触部１２１には、貯蔵庫１０内の空気が通過する。気液接触部１２１を通過する貯蔵庫１０内の空気の風速は、０．３〜０．５ｍ／ｓ程度である。気液接触部１２１を通過する貯蔵庫１０内の空気の風速は、制御手段４００が、送風機の出力を制御することにより調節される。
【００３２】
気液接触部１２１を通過する空気の流れ方向は、滴下部１２２による調湿液１１０の滴下方向と交差する。具体的には、気液接触部１２１を通過する空気の流れ方向は、滴下部１２２による調湿液１１０の滴下方向と直交する。
【００３３】
＜液滴捕集手段＞
液滴捕集手段１５０は、液滴捕集器１５１と、偏向板１５２と、微細液滴捕集器１５３と、を有する。
【００３４】
液滴捕集器１５１は、気液接触部１２１において気液接触した貯蔵庫１０内の空気を通過させ、気液接触部１２１において気液接触した貯蔵庫１０内の空気に含まれる調湿液１１０の液滴を捕集する。液滴捕集器１５１は、繊維状骨格構造を有する板状の部材である。液滴捕集器１５１は、例えば、上述したサランロック（登録商標）により構成できる。
【００３５】
液滴捕集器１５１は、気液接触部１２１から５〜１０ｃｍ程度下流に設置される。液滴捕集器１５１の厚みは、貯蔵庫１０内の空気の流れ方向に５〜１０ｃｍ程度である。
【００３６】
偏向板１５２には、液滴捕集器１５１を通過した貯蔵庫１０内の空気が衝突する。偏向板１５２は、貯蔵庫１０の空気の流れ方向に対して４５度程度傾斜しており、微細液滴の衝突捕集と空気の流れ方向の調整を行う。
【００３７】
微細液滴捕集器１５３は、偏向板１５２を通過した貯蔵庫１０内の空気に含まれる調湿液１１０の微細な液滴を捕集する。微細液滴捕集器１５３は、例えば、空気清浄用のＨＥＰＡフィルターにより構成できる。微細液滴捕集器１５３の厚みは、例えば、５〜１０ｃｍとすることができる。
【００３８】
＜調湿液タンク＞
調湿液タンク１３０は、気液接触用の配管ＬＡを介して、滴下部１２２と接続している。気液接触用の配管ＬＡには、気液接触用のポンプＰＡが配置されている。気液接触用のポンプＰＡは、気液接触用の配管ＬＡを介して、調湿液タンク１３０から滴下部１２２に向けて調湿液１１０を圧送する。
【００３９】
調湿液タンク１３０には、調湿液タンク１３０に収容される調湿液１１０を貯蔵庫１０の外部に取り出すための調湿液取り出し用の配管ＬＨ１と、貯蔵庫１０の外部から調湿液タンク１３０に調湿液１１０を取り入れるための調湿液取り入れ用の配管ＬＨ２と、が接続されている。
【００４０】
調湿液取り出し用の配管ＬＨ１には、調湿液タンク１３０に収容されている調湿液１１０を貯蔵庫１０の外部に圧送する調湿液取り出し用ポンプＰＨが配置されている。
【００４１】
＜濃度調節手段＞
図２を参照して、濃度調節手段１４０は、濃度調節用気液接触部１４１と、濃度調節用滴下部１４２と、濃度調節用送風機１４３と、濃度調節用熱交換器１４４と、濃度調節用ヒーター１４５と、を有する。濃度調節手段１４０は、貯蔵庫１０の外部に設置されている。
【００４２】
濃度調節用気液接触部１４１は、貯蔵庫１０の外部の空気と調湿液１１０とを気液接触させる。濃度調節用気液接触部１４１は、上述した気液接触部１２１と同様に構成できる。
【００４３】
濃度調節用滴下部１４２は、濃度調節用気液接触部１４１に調湿液１１０を滴下する。濃度調節用滴下部１４２は、上述した滴下部１２２と同様に構成できる。
【００４４】
濃度調節用気液接触部１４１は、濃度調節用の第１の配管ＬＤ１を介して、調湿液１１０取り入れ用の配管ＬＨ２と流体的に接続している。
【００４５】
濃度調節用滴下部１４２は、濃度調節用の第２の配管ＬＤ２を介して、調湿液取り出し用の配管ＬＨ１と流体的に接続している。濃度調節用滴下部１４２には、濃度調節用の第２の配管ＬＤ２を介して、調湿液取り出し用の配管ＬＨ１から調湿液１１０が供給される。
【００４６】
濃度調節用の第２の配管ＬＤ２と調湿液取り出し用の配管ＬＨ１とは、濃度調節用バルブＢＤを介して接続されている。濃度調節用滴下部１４２への調湿液１１０の供給開始および供給停止は、濃度調節用バルブＢＤの開閉によって制御される。濃度調節用滴下部１４２への調湿液１１０の供給量は、濃度調節用バルブＢＤの開度を調節することによって調節される。
【００４７】
濃度調節用熱交換器１４４は、濃度調節用気液接触部１４１において貯蔵庫１０の外部の空気と気液接触される前の調湿液１１０と、濃度調節用気液接触部１４１において貯蔵庫１０の外部の空気と気液接触された後の調湿液１１０との間で、熱交換を行う。
【００４８】
濃度調節用熱交換器１４４は、濃度調節用の第１の配管ＬＤ１と濃度調節用の第２の配管ＬＤ２との間に配置され、濃度調節用の第１の配管ＬＤ１を流れる調湿液１１０と濃度調節用の第２の配管ＬＤ２を流れる調湿液１１０との間で、熱交換を行う。
【００４９】
濃度調節用ヒーター１４５は、濃度調節用気液接触部１４１において、貯蔵庫１０の外部の空気と気液接触される前の調湿液１１０の温度を昇温させる。
【００５０】
濃度調節用ヒーター１４５は、濃度調節用の第２の配管ＬＤ２に配置され、濃度調節用の第２の配管ＬＤ２において、濃度調節用熱交換器１４４から濃度調節用の滴下部１２２に向かって流れる調湿液１１０を加熱する。濃度調節用ヒーター１４５は、公知のヒーターを使用して構成できる。
【００５１】
例えば、濃度調節用ヒーター１４５は、貯蔵庫１０の外部の空気の相対湿度がおおむね９５％以上のとき、貯蔵庫１０の外部の空気と気液接触される前の調湿液１１０の温度を外気温より０〜３０℃程度昇温する。
【００５２】
＜温度調節手段＞
温度調節手段２００は、気液接触手段１２０において貯蔵庫１０内の空気と気液接触する調湿液１１０の温度を調節することによって、貯蔵庫１０内の空気の温度を調節する。温度調節手段２００は、貯蔵庫１０の外部に設置されている。
【００５３】
温度調節手段２００は、調湿液１１０を冷却する。温度調節手段２００は、調湿液１１０を冷却する冷却チラーである。温度調節手段２００は、冷却チラー内を循環する冷却用媒体と調湿液１１０との間で熱交換を行う間接冷却方式の冷却チラーである。
【００５４】
温度調節手段２００は、調湿液取り出し用の配管ＬＨ１を介して、調湿液タンク１３０に収容されている調湿液１１０を取り出して冷却する。温度調節手段２００は、調湿液取り入れ用の配管ＬＨ２を介して、冷却した調湿液１１０を調湿液タンク１３０に還流させる。
【００５５】
温度調節手段２００は、例えば、貯蔵庫１０内の空気の温度を−３〜１５℃の範囲に調節する。貯蔵庫１０内の空気の温度は、温度計によって計測される。例えば、貯蔵装置１によって貯蔵される青果物が柑橘類の場合、温度調節手段２００は、貯蔵庫１０内の空気の温度を５℃程度に調節する。
【００５６】
＜ガス濃度調節手段＞
図４および図５を参照して、ガス濃度調節手段３００は、貯蔵庫１０内の空気の酸素濃度を調節する酸素濃度調節部３１０と、貯蔵庫１０内の空気の二酸化炭素濃度を調節する二酸化炭素濃度調節部３５０と、貯蔵庫１０の外部の空気を貯蔵庫１０内に供給する外気供給部３９０と、を有する。
【００５７】
ガス濃度調節手段３００は、貯蔵庫１０内の空気の酸素濃度が目標酸素濃度になるように、貯蔵庫１０内の空気の酸素濃度を調節する。また、ガス濃度調節手段３００は、貯蔵庫１０内の空気の二酸化炭素濃度が目標二酸化炭素濃度になるように、貯蔵庫１０内の空気の二酸化炭素濃度を調節する。
【００５８】
目標酸素濃度および目標二酸化炭素濃度は、貯蔵装置１によって貯蔵される青果物の種類に応じて適した値に設定できる。例えば、目標酸素濃度は、０〜２０％の範囲内であり、目標二酸化炭素濃度は、０〜１０％の範囲内である。例えば、貯蔵装置１によって貯蔵される青果物が柑橘類の場合、目標酸素濃度は、８〜１５％の範囲内、好ましくは、８〜１０％の範囲内であり、目標二酸化炭素濃度は、２〜６％の範囲内、好ましくは、３〜４％の範囲内である。例えば、貯蔵装置１によって貯蔵される青果物がヘベスの場合、目標酸素濃度は９％であり、目標二酸化炭素濃度は４％である。
【００５９】
なお、目標酸素濃度および目標二酸化炭素濃度は目標値である。すなわち、後述する酸素濃度計３３１や二酸化炭素濃度計３５２等によって計測された貯蔵庫１０内の空気の酸素濃度および二酸化炭素濃度の計測値が、目標酸素濃度および目標二酸化炭素濃度に常に一致しているとは限らない。
【００６０】
＜酸素濃度調節部＞
酸素濃度調節部３１０は、貯蔵庫１０内に窒素ガスを供給する窒素ガス供給部３２０と、貯蔵庫１０内の空気の酸素濃度を計測する酸素濃度計測部３３０と、を有する。
【００６１】
貯蔵庫１０は、当該貯蔵庫１０の底面ＳＢ側に配置され、貯蔵庫１０の外部から貯蔵庫１０内にガスを取り入れるガス取り入れ部５０と、当該貯蔵庫１０の上面ＳＵ側に配置され、当該貯蔵庫１０内の上面ＳＵ側の空気を貯蔵庫１０の外部に排出するガス排出部６０と、を有する。
【００６２】
窒素ガス供給部３２０は、ガス取り入れ部５０に接続されている（図１参照）。窒素ガス供給部３２０は、ガス取り入れ部５０を介して、貯蔵庫１０の底面ＳＢ側から貯蔵庫１０内に窒素ガスを供給する。ガス排出部６０は、ガス取り入れ部５０を介して、窒素ガス供給部３２０から貯蔵庫１０内に窒素ガスが供給されるのに伴って、貯蔵庫１０内の上面ＳＵ側の空気を貯蔵庫１０の外部へ排出する。
【００６３】
貯蔵庫１０の底面ＳＢ側から貯蔵庫１０内に供給された窒素ガスは、貯蔵庫１０の底面ＳＢ側に、貯蔵庫１０の上側の空気の層ＡＬ１よりも酸素濃度が薄い空気の層ＡＬ２を形成する。
【００６４】
酸素濃度計測部３３０は、貯蔵庫１０内に配置され、貯蔵庫１０内において鉛直方向Ｚに沿って移動自在な酸素濃度計３３１と、酸素濃度計３３１を鉛直方向Ｚに沿って上下に移動させるアクチュエーター（図示省略）と、を有する。
【００６５】
酸素濃度計３３１は、貯蔵庫１０内の空気の酸素濃度を計測する。酸素濃度計３３１は、公知の酸素濃度計を使用して構成できる。
【００６６】
酸素濃度計３３１は、鉛直方向Ｚに沿って上下に移動することによって、貯蔵庫１０内の空気の酸素濃度の鉛直方向Ｚにおける変化を計測する。
【００６７】
アクチュエーターは、鉛直方向Ｚに沿って酸素濃度計３３１を上下に移動させる。アクチュエーターは、貯蔵庫１０の底面ＳＢから、例えば、０．２〜２．０ｍの範囲内において、鉛直方向Ｚに沿って酸素濃度計３３１を上下に移動させる。
【００６８】
制御手段４００（図１参照）は、貯蔵庫１０内に窒素ガスを供給することによって変化した貯蔵庫１０内の空気の酸素濃度を、貯蔵庫内に供給された窒素ガスの量に基づいて算出する。
【００６９】
制御手段４００は、鉛直方向Ｚに沿って上下に移動する酸素濃度計３３１が計測した貯蔵庫１０内の空気の酸素濃度が、第１酸素濃度から、第１酸素濃度よりも低い第２酸素濃度に変化する酸素濃度境界ＯＢの鉛直方向Ｚにおける位置を検出する。酸素濃度境界ＯＢの鉛直方向Ｚにおける位置とは、貯蔵庫１０の底面ＳＢと酸素濃度境界ＯＢとの間の距離Ｈを意味する。
【００７０】
制御手段４００は、検出した酸素濃度境界ＯＢの鉛直方向Ｚにおける位置に基づいて、貯蔵庫１０内に供給された窒素ガスの量を算出する。具体的には、制御手段４００は、酸素濃度境界ＯＢの鉛直方向Ｚにおける位置と、貯蔵庫１０の幾何学的形状および寸法と、に基づいて、貯蔵庫１０内に供給された窒素ガスの量を算出する。貯蔵庫１０の幾何学的形状および寸法とは、貯蔵庫１０において鉛直方向Ｚに沿って延びている壁面ＳＩと、貯蔵庫１０の上面ＳＵと、貯蔵庫１０の底面ＳＢと、によって囲まれている空間の幾何学的形状および寸法を意味する。
【００７１】
酸素濃度計３３１は、計測した酸素濃度の情報を制御手段４００に送信する。アクチュエーターは、酸素濃度計３３１の鉛直方向Ｚにおける位置の情報を制御手段４００に送信する。制御手段４００は、酸素濃度計３３１から送信された酸素濃度の情報と、アクチュエーターから送信された酸素濃度計３３１の鉛直方向Ｚにおける位置の情報と、に基づいて、酸素濃度境界ＯＢの鉛直方向Ｚにおける位置を検出する。
【００７２】
酸素濃度計測部３３０と制御手段４００とは、配線ＬＦ（図１参照）を介して、情報の送受信を行う。
【００７３】
ガス取り入れ部５０は、貯蔵空間ＳＡの床面を構成する床板５２と、貯蔵庫１０の底面ＳＢと床板５２との間に底面側の空間部５３と、を備えた二重床５１と、底面側の空間部５３に配置され、窒素ガス供給部３２０に接続されたガス流出パイプ５５と、を有する。
【００７４】
床板５２は、底面側の空間部５３に臨む面５２ａから貯蔵空間ＳＡに臨む面５２ｂに向かって連通する複数の床板開口部５４を有する。床板開口部５４の大きさは特に限定されないが、例えば、２．０〜６．０ｍｍ程度である。床板５２の単位面積当たりの床板開口部５４の個数は、特に限定されないが、例えば、１０〜２０個／ｍ２である。
【００７５】
底面側の空間部５３は、床板開口部５４を介して、貯蔵空間ＳＡと連通している。底面側の空間部５３の高さは特に限定されないが、例えば、１〜２ｃｍ程度である。
【００７６】
ガス流出パイプ５５は、窒素ガス供給部３２０から供給された窒素ガスを底面側の空間部５３に流出させる。底面側の空間部５３に供給された窒素ガスは、二重床５１の床板５２に設けられた複数の床板開口部５４から貯蔵空間ＳＡ内に流出する。
【００７７】
ガス流出パイプ５５は、ガス流出パイプ５５の内部から底面側の空間部５３に窒素ガスを流出させる複数の流出パイプ開口部５６を備える。流出パイプ開口部５６は、ガス流出パイプ５５の外周面５５Ｓに略均等に配置されている。ガス流出パイプ５５の内径は特に限定されないが、例えば、２〜４ｃｍ程度である。流出パイプ開口部５６の大きさは、特に限定されないが、例えば、２．０〜６．０ｍｍ程度である。
【００７８】
二重床５１の床板５２に設けられた床板開口部５４からの貯蔵空間ＳＡへの窒素ガスの流出速度は、例えば、０．０２〜０．０５ｍ／ｓ程度である。ガス流出パイプ５５から底面側の空間部５３への窒素ガスの流出速度は、例えば、０．０１〜０．０３ｍ／ｓ程度である。
【００７９】
ガス排出部６０は、貯蔵庫１０の上面ＳＵ側に配置された二重天井６１と、二重天井６１に配置されたガス排出パイプ６５と、を有する。
【００８０】
二重天井６１は、貯蔵空間ＳＡの天井面を構成する天板６２と、貯蔵庫１０の上面ＳＵと天板６２との間に上面側の空間部６３と、を有する。
【００８１】
天板６２は、板状の部材である。天板６２は、貯蔵空間ＳＡに臨む面６２ａから上面側の空間部６３に臨む面６２ｂに向かって連通する複数の天板開口部６４を有する。排出パイプ開口部６６の大きさは特に限定されないが、例えば、２．０〜６．０ｍｍ程度である。床板５２の単位面積当たりの天板開口部６４の個数は、特に限定されないが、例えば、１０〜２０個／ｍ２である。
【００８２】
上面側の空間部６３は、天板開口部６４を介して、貯蔵空間ＳＡと連通している。上面側の空間部６３の高さは特に限定されないが、例えば、１〜２ｃｍ程度である。
【００８３】
ガス排出パイプ６５は、上面側の空間部６３に配置されている。ガス排出パイプ６５は、貯蔵庫１０内の上面側の空気を貯蔵庫１０の外部に排出する。ガス排出パイプ６５は、ガス排出用の配管ＬＥ（図１参照）を介して、貯蔵庫１０の外部と接続している。
【００８４】
ガス排出パイプ６５は、上面側の空間部６３からガス排出パイプ６５の内部に貯蔵庫１０内のガスを流入させる複数の排出パイプ開口部６６を備える。ガス排出パイプ６５の内径は特に限定されないが、例えば、２〜４ｃｍ程度である。排出パイプ開口部６６は、ガス排出パイプ６５の外周面６５Ｓにおいて略均等に配置されている。排出パイプ開口部６６の大きさは、特に限定されないが、例えば、２．０〜６．０ｍｍ程度である。
【００８５】
ガス排出用の配管ＬＥには、ガス排出バルブＢＥ（図１参照）が配置されている。貯蔵庫１０の外部への貯蔵庫１０内の上面側の空気の排出開始および排出停止は、ガス排出バルブＢＥの開閉によって制御される。貯蔵庫１０の外部への貯蔵庫内の上面側の空気の排出量は、ガス排出バルブＢＥの開度を調節することによって調節される。
【００８６】
窒素ガス供給部３２０は、貯蔵庫１０内に窒素ガスを供給する窒素ガス供給器３２１と、窒素ガス供給器３２１から貯蔵庫１０内に供給される窒素ガスを冷却する窒素ガス冷却部３４０と、を有する。
【００８７】
窒素ガス供給器３２１は、窒素ガス用の配管ＬＮを介して、ガス流出パイプ５５に接続されている。窒素ガス供給器３２１は、例えば、窒素ガスボンベである。
【００８８】
窒素ガス冷却部３４０は、窒素ガス用の配管ＬＮに配置されている。窒素ガス冷却部３４０は、窒素ガス用の配管ＬＮ内を流れる窒素ガスを冷却する。
【００８９】
窒素ガス冷却部３４０は、窒素ガス用の配管ＬＮに配置され、窒素ガス用の配管ＬＮを流れる窒素ガスを内部に流通させる熱交換用のコイル３４１と、熱交換用のコイル３４１の内部を流れる窒素ガスとの間で熱交換を行う冷却液３４２と、冷却液３４２を収容する冷却液タンク３４３と、を有する。
【００９０】
窒素ガス供給器３２１は、窒素ガス供給バルブＢＮを介して、窒素ガス用の配管ＬＮに接続されている。底面側の空間部５３への窒素ガスの供給開始および供給停止は、窒素ガス供給バルブＢＮの開閉によって制御される。底面側の空間部５３への窒素ガスの供給量は、窒素ガス供給バルブＢＮの開度を調節することによって調節される。
【００９１】
＜二酸化炭素濃度調節部＞
二酸化炭素濃度調節部３５０は、二酸化炭素ガス供給器３５１と、二酸化炭素濃度計３５２（図１参照）と、を有する。
【００９２】
二酸化炭素ガス供給器３５１は、二酸化炭素ガスを貯蔵庫１０内に供給する。二酸化炭素ガス供給器３５１は、ガス取り入れ部５０に接続している（図１参照）。二酸化炭素ガス供給器３５１は、ガス取り入れ部５０を介して、二酸化炭素ガスを貯蔵庫１０内に供給する。
【００９３】
二酸化炭素濃度計３５２は、貯蔵庫１０内の空気の二酸化炭素濃度を計測する。二酸化炭素濃度計３５２は、公知の二酸化炭素濃度計３５２を使用できる。
【００９４】
二酸化炭素ガス供給器３５１は、二酸化炭素ガス用の配管ＬＣを介して、ガス流出パイプ５５に接続している。二酸化炭素ガス供給器３５１は、二酸化炭素ガス供給バルブＢＣを介して、二酸化炭素ガス用の配管ＬＣに接続している。二酸化炭素ガス供給器３５１は、例えば、二酸化炭素ボンベである。
【００９５】
貯蔵庫１０内への二酸化炭素ガスの供給開始および供給停止は、二酸化炭素ガス供給バルブＢＣの開閉によって制御される。貯蔵庫１０内への二酸化炭素ガスの供給量は、二酸化炭素ガス供給バルブＢＣの開度を調節することによって調節される。
【００９６】
＜外気供給部＞
外気供給部３９０は、ガス取り入れ部５０に接続されている。外気供給部３９０は、ガス取り入れ部５０を介して、貯蔵庫１０の外部の空気を貯蔵庫１０内に供給する。
【００９７】
外気供給部３９０は、外気送風機３９１を有する。
【００９８】
外気送風機３９１は、外気供給用の配管ＬＢを介して、二酸化炭素ガス用の配管ＬＣに接続している。外気送風機３９１は、外気供給用バルブＢＢを介して、二酸化炭素ガス用の配管ＬＣに接続している。外気送風機３９１は、公知の送風機を使用して構成できる。
【００９９】
貯蔵庫１０の外部の空気の貯蔵庫１０内への供給開始および供給停止は、外気供給用バルブＢＢの開閉によって制御される。貯蔵庫１０の外部の空気の貯蔵庫１０内への供給量は、外気送風機３９１の出力によって調節される。
【０１００】
＜制御手段＞
制御手段４００は、送風手段２０、エチレンガス除去手段４０、湿度調節手段１００、温度調節手段２００およびガス濃度調節手段３００の動作を制御する。
【０１０１】
制御手段４００は、公知のＰＬＣ（Ｐｒｏｇｒａｍｍａｂｌｅ  Ｌｏｇｉｃ  Ｃｏｎｔｒｏｌｌｅｒ）やＣＰＵ、ＲＯＭ、ＲＡＭを使用して構成できる。
【０１０２】
＜貯蔵方法＞
本実施形態に係る青果物の貯蔵装置１を使用した青果物の貯蔵方法について説明する。
【０１０３】
本実施形態に係る青果物の貯蔵方法は、低温環境下の貯蔵庫内において、貯蔵庫内の空気の酸素濃度および二酸化炭素濃度を低酸素濃度および高二酸化炭素濃度に調節して、青果物を貯蔵する方法である。
【０１０４】
図６を参照して、本実施形態に係る青果物の貯蔵方法は、貯蔵庫内の空気の酸素濃度を初期酸素濃度に初期設定するステップＳ１と、貯蔵庫内の空気の撹拌を開始するステップＳ２と、貯蔵庫内の空気の二酸化炭素濃度を初期二酸化炭素濃度に初期設定するステップＳ３と、貯蔵庫１０内の空気の湿度を調節するステップＳ４と、貯蔵庫１０内の空気の温度を調節するステップＳ５と、貯蔵庫１０内の空気の酸素濃度および二酸化炭素濃度を調節するステップＳ６と、を有する。
【０１０５】
酸素濃度を初期設定するステップＳ１では、貯蔵庫内の空気の酸素濃度を初期酸素濃度に初期設定する。初期酸素濃度は、目標酸素濃度よりも２〜３％程度高い値である。
【０１０６】
空気の撹拌を開始するステップＳ２では、送風手段２０を始動し、貯蔵庫内の空気の撹拌を開始する。貯蔵庫内の空気の撹拌は、青果物の貯蔵が終了するまで行う。
【０１０７】
空気の撹拌を開始するステップＳ２は、酸素濃度を初期設定するステップＳ１の後、かつ、二酸化炭素濃度を初期設定するステップＳ３、湿度を調節するステップＳ４、温度を調節するステップＳ５、酸素濃度および二酸化炭素濃度を調節するステップＳ６の前に行われる。
【０１０８】
酸素濃度を初期設定するステップＳ１は、貯蔵庫内の空気の撹拌を停止した状態で行う。
【０１０９】
二酸化炭素濃度を初期設定するステップＳ３、湿度を調節するステップＳ４、温度を調節するステップＳ５、酸素濃度および二酸化炭素濃度を調節するステップＳ６は、貯蔵庫内の空気を撹拌した状態で行う。
【０１１０】
二酸化炭素濃度を初期設定するステップＳ３では、貯蔵庫内の空気の二酸化炭素濃度を初期二酸化炭素濃度に初期設定する。
【０１１１】
貯蔵庫１０内の空気の湿度を調節するステップＳ４は、湿度調節手段１００を使用して、脂肪族多価アルコールを含む調湿液１１０の濃度を調節し、濃度を調節した調湿液１１０と貯蔵庫１０内の空気とを気液接触させることにより、貯蔵庫１０内の空気の湿度を調節する。貯蔵庫１０内の空気の湿度を調節するステップＳ４では、気液接触された空気に含まれる調湿液１１０の液滴を、液滴捕集手段１５０を使用して捕集する。
【０１１２】
貯蔵庫１０内の空気の温度を調節するステップＳ５は、温度調節手段２００を使用して、貯蔵庫１０内の空気と気液接触される調湿液１１０の温度を調節することによって、貯蔵庫１０内の空気の温度を調節する。
【０１１３】
貯蔵庫１０内の空気の酸素濃度および二酸化炭素濃度を調節するステップＳ６は、貯蔵庫１０内の空気の酸素濃度を目標酸素濃度に調節するとともに、貯蔵庫１０内の空気の二酸化炭素濃度を目標二酸化炭素濃度に調節する。
【０１１４】
＜酸素濃度を初期設定するステップ＞
酸素濃度を初期設定するステップＳ１について詳説する。
【０１１５】
図７を参照して、貯蔵庫１０内の空気の酸素濃度を初期設定するステップＳ１は、初期設定される前の貯蔵庫１０内の空気の酸素濃度を計測するステップＳ１１と、貯蔵庫１０に窒素ガスを供給するステップＳ１２と、窒素ガスを供給することによって変化した貯蔵庫１０内の空気の酸素濃度を計測するステップＳ１３と、酸素濃度が初期酸素濃度に達したか否かを判断するステップＳ１４と、窒素ガスの供給を停止するステップＳ１５と、を有する。
【０１１６】
初期設定される前の貯蔵庫１０内の空気の酸素濃度を計測するステップＳ１１は、酸素濃度計３３１を使用して、初期設定される前の貯蔵庫１０内の空気の酸素濃度を計測する。
【０１１７】
貯蔵庫１０に窒素ガスを供給するステップＳ１２では、窒素ガス供給部３２０の窒素ガス供給バルブＢＮを開いて、貯蔵庫１０内に窒素ガスを供給する。
【０１１８】
貯蔵庫１０に窒素ガスを供給するステップＳ１２では、貯蔵庫１０の底面側から窒素ガスを供給し、貯蔵庫１０内の上面側の空気を貯蔵庫外に排出する。
【０１１９】
貯蔵庫１０の底面ＳＢ側から窒素ガスを供給する際には、窒素ガス供給部３２０から、ガス取り入れ部５０を介して、貯蔵庫１０内に窒素ガスを供給する。具体的には、貯蔵庫１０の底面ＳＢ側から窒素ガスを供給する際には、底面側の空間部５３に配置されたガス流出パイプ５５から、ガス流出パイプ５５に設けられた複数の床板開口部５４を介して、底面側の空間部５３に窒素ガスを流出させ、底面側の空間部５３に流出させた窒素ガスを、二重床５１の床板５２に設けられた複数の床板開口部５４を介して、底面側の空間部５３から貯蔵空間ＳＡ側に流出させる。
【０１２０】
貯蔵庫１０の底面側から窒素ガスを供給する際には、窒素ガス冷却部３４０を使用して窒素ガスを冷却し、冷却した窒素ガスを貯蔵庫１０の底面ＳＢ側から貯蔵庫１０内に供給することによって、冷却した窒素ガスの層を貯蔵庫１０の底面ＳＢ側に形成し、貯蔵庫１０内の空気を温度成層状態とする。冷却した窒素ガスを貯蔵庫１０の底面ＳＢ側から貯蔵庫１０内に供給する際には、貯蔵庫１０内の空気の温度を計測し、計測した貯蔵庫１０内の空気の温度に基づいて、窒素ガスの冷却温度を調節する。窒素ガスの冷却温度を調節する際には、冷却した窒素ガスの温度が、貯蔵庫１０内の空気の温度よりもおおよそ１０℃以上低くなるように、貯蔵庫１０内に供給する窒素ガスを冷却する。貯蔵庫１０内の空気の温度が、例えば、１５〜２０℃の場合、貯蔵庫１０内に供給する窒素ガスは０〜５℃程度に冷却する。
【０１２１】
貯蔵庫１０内の空気の酸素濃度を計測するステップＳ１３は、貯蔵庫１０内に供給された窒素ガスの量を計測し、窒素ガスが供給される前の貯蔵庫１０内の空気の酸素濃度と、計測された窒素ガスの量と、に基づいて、窒素ガスを供給することによって変化した貯蔵庫１０内の空気の酸素濃度を算出する。
【０１２２】
具体的には、貯蔵庫１０内の空気の酸素濃度を計測するステップＳ１３では、貯蔵庫１０内の空気の酸素濃度の鉛直方向Ｚにおける変化を計測し、計測された酸素濃度が、第１酸素濃度から、第１酸素濃度よりも低い第２酸素濃度に変化する酸素濃度境界ＯＢ（図５参照）の鉛直方向Ｚにおける位置を検出し、検出された酸素濃度境界ＯＢの鉛直方向Ｚにおける位置に基づいて、貯蔵庫１０内に供給された窒素ガスの量を算出する。
【０１２３】
第１酸素濃度は、例えば、１９〜２１％程度であり、第２酸素濃度は、例えば、２〜１０％程度である。
【０１２４】
貯蔵庫内の空気の酸素濃度が初期酸素濃度に達したか否かを判断するステップＳ１４では、貯蔵庫１０内の空気の酸素濃度を計測するステップＳ１３において計測した貯蔵庫内の空気の酸素濃度が初期酸素濃度に達したか否かを判断する。貯蔵庫１０内の空気の酸素濃度を計測するステップＳ１３において計測した貯蔵庫内の空気の酸素濃度が初期酸素濃度に達した場合には、窒素ガスの供給を停止するステップＳ１５に進む。
【０１２５】
窒素ガスの供給を停止するステップＳ１５では、窒素ガス供給部３２０の窒素ガス供給バルブＢＮを閉じて、貯蔵庫１０内への窒素ガスの供給を停止する。
【０１２６】
上記ステップによって、貯蔵庫１０内の空気の酸素濃度が初期設定される。貯蔵庫１０内の空気の酸素濃度が初期設定されたら、貯蔵庫１０内の空気の撹拌を開始するステップＳ２に進み、貯蔵庫１０内の空気及びガスの撹拌を開始する。
【０１２７】
＜二酸化炭素濃度を初期設定するステップ＞
次に、二酸化炭素濃度を初期設定するステップＳ３について詳説する。二酸化炭素濃度を初期設定するステップＳ３は、貯蔵庫１０内の空気の撹拌を開始するステップＳ２の後に行われる。すなわち、二酸化炭素濃度を初期設定するステップＳ３は、貯蔵庫１０内の空気を撹拌しながら行う。
【０１２８】
二酸化炭素濃度を初期設定するステップＳ３は、貯蔵庫１０内の空気の二酸化炭素濃度を計測するステップと、貯蔵庫１０内に二酸化炭素ガスを供給するステップと、貯蔵庫１０内の空気の二酸化炭素濃度が初期二酸化炭素濃度に達したときに二酸化炭素ガスの供給を停止するステップと、を有する。
【０１２９】
貯蔵庫１０内の空気の二酸化炭素濃度を計測するステップでは、貯蔵庫１０内に配置された二酸化炭素濃度計３５２を使用して、貯蔵庫１０内の空気の二酸化炭素濃度を計測する。
【０１３０】
貯蔵庫１０内に二酸化炭素ガスを供給するステップでは、貯蔵庫１０内の空気の二酸化炭素濃度が初期二酸化炭素濃度に達するまで、貯蔵庫１０内に二酸化炭素ガスを供給する。貯蔵庫１０内に二酸化炭素ガスを供給するステップでは、二酸化炭素ガス供給器３５１の二酸化炭素ガス供給バルブＢＣを開いて、二酸化炭素ガス供給器３５１から、ガス取り入れ部５０を介して、貯蔵庫１０内に二酸化炭素ガスを供給する。
【０１３１】
貯蔵庫１０内に二酸化炭素ガスを供給するステップでは、初期二酸化炭素濃度に達した後の貯蔵庫内の空気の酸素濃度が、目標酸素濃度よりも１％程度以上高い場合には、貯蔵庫１０内に窒素ガスを供給して、初期二酸化炭素濃度に達した後の貯蔵庫１０内の空気の酸素濃度が、目標酸素濃度よりも１％以上高くならないようにする。
【０１３２】
窒素ガスの供給を停止するステップでは、貯蔵庫１０内の空気の二酸化濃度が初期二酸化炭素濃度に達したときに、二酸化炭素ガス供給バルブＢＣを閉じて、貯蔵庫１０内への二酸化炭素ガスの供給を停止する。
【０１３３】
＜酸素濃度および二酸化炭素濃度を調節するステップ＞
酸素濃度および二酸化炭素濃度を調節するステップＳ６について詳説する。
【０１３４】
図８を参照して、酸素濃度および二酸化炭素濃度を調節するステップＳ６は、酸素濃度が第１閾値よりも低いか否かを判断するステップＳ６１と、二酸化炭素濃度が第２閾値よりも高いか否かを判断するステップＳ６２と、酸素濃度が第２閾値よりも高いか否かを判断するステップＳ６３と、二酸化炭素濃度が第１閾値よりも低いか否かを判断するステップＳ６４と、二酸化炭素濃度を調節するステップＳ６５と、酸素濃度を調節するステップＳ６６と、を有する。
【０１３５】
酸素濃度の第１閾値は、例えば、目標酸素濃度よりも１％程度低い値である。酸素濃度の第２閾値は、例えば、目標酸素濃度よりも１％程度高い値である。二酸化炭素濃度の第１閾値は、例えば、目標二酸化炭素濃度よりも１％程度低い値である。二酸化炭素濃度の第２閾値は、例えば、目標二酸化炭素濃度よりも１％程度高い値である。
【０１３６】
酸素濃度が第１閾値よりも低いか否かを判断するステップＳ６１では、貯蔵庫内の空気の酸素濃度が酸素濃度の第１閾値よりも低いか否かを判断する。
【０１３７】
貯蔵庫内の空気の酸素濃度が酸素濃度の第１閾値よりも低い場合には、二酸化炭素濃度が第２閾値よりも高いか否かを判断するステップＳ６２に進む。貯蔵庫内の空気の酸素濃度が酸素濃度の第１閾値以上の場合には、酸素濃度が第２閾値よりも高いか否かを判断するステップＳ６３に進む。
【０１３８】
二酸化炭素濃度が第２閾値よりも高いか否かを判断するステップＳ６２では、貯蔵庫内の空気の二酸化炭素濃度が二酸化炭素濃度の第２閾値よりも高いか否かを判断する。二酸化炭素濃度が二酸化炭素濃度の第２閾値よりも高い場合には、二酸化炭素濃度を調節するステップＳ６５に進む。
【０１３９】
酸素濃度が第２閾値よりも高いか否かを判断するステップＳ６３では、貯蔵庫内の空気の酸素濃度が酸素濃度の第２閾値よりも高いか否かを判断する。貯蔵庫内の空気の酸素濃度が酸素濃度の第２閾値よりも高い場合には、二酸化炭素濃度が第１閾値よりも低いか否かを判断するステップＳ６４に進む。
【０１４０】
二酸化炭素濃度が第１閾値よりも低いか否かを判断するステップＳ６４では、貯蔵庫内の空気の二酸化炭素濃度が二酸化炭素濃度の第１閾値よりも低いか否かを判断する。貯蔵庫内の空気の二酸化炭素濃度が二酸化炭素濃度の第１閾値よりも低い場合には、酸素濃度を調節するステップＳ６６に進む。
【０１４１】
図９を参照して、二酸化炭素濃度を調節するステップＳ６５は、二酸化炭素濃度を下げるステップＳ６５１と、酸素濃度が第２閾値よりも高いか否かを判断するステップＳ６５２と、酸素濃度を下げるステップＳ６５３と、酸素濃度が第１閾値よりも低いか否かを判断するステップＳ６５４と、酸素濃度を上げるステップＳ６５５と、を有する。
【０１４２】
二酸化炭素濃度を下げるステップＳ６５１では、貯蔵庫１０内の空気の二酸化炭素濃度が二酸化炭素濃度の第２閾値以下になるように、貯蔵庫１０の外部の空気を貯蔵庫１０内に供給する。
【０１４３】
酸素濃度が第２閾値よりも高いか否かを判断するステップＳ６５２では、貯蔵庫内の空気の酸素濃度が酸素濃度の第２閾値よりも高いか否かを判断する。貯蔵庫内の空気の酸素濃度が酸素濃度の第２閾値よりも高い場合には、酸素濃度を下げるステップＳ６５３に進む。貯蔵庫内の空気の酸素濃度が酸素濃度の第２閾値よりも低い場合には、酸素濃度が第１閾値よりも低いか否かを判断するステップＳ６５４に進む。
【０１４４】
酸素濃度を下げるステップＳ６５３では、貯蔵庫１０内の空気の酸素濃度が酸素濃度の第２閾値以下になるように、貯蔵庫１０内に窒素ガスを供給する。
【０１４５】
酸素濃度が第１閾値よりも低いか否かを判断するステップＳ６５４では、貯蔵庫内の空気の酸素濃度が酸素濃度の第１閾値よりも低いか否かを判断する。貯蔵庫内の空気の酸素濃度が酸素濃度の第１閾値よりも低い場合には、酸素濃度を上げるステップＳ６５５に進む。
【０１４６】
酸素濃度を上げるステップＳ６５５では、貯蔵庫１０内の空気の酸素濃度が酸素濃度の第１閾値よりも高くなるように、貯蔵庫１０の外部の空気を貯蔵庫１０内に供給する。
【０１４７】
＜酸素濃度を調節するステップ＞
酸素濃度を調節するステップＳ６６は、酸素濃度を下げるステップＳ６６１と、二酸化炭素濃度が二酸化炭素濃度の第１閾値よりも低いか否かを判断するステップＳ６６２と、二酸化炭素濃度を上げるステップＳ６６３と、を有する。
【０１４８】
酸素濃度を下げるステップＳ６６１では、貯蔵庫１０内の空気の酸素濃度が酸素濃度の第２閾値以下になるように、貯蔵庫１０内に窒素ガスを供給する。
【０１４９】
二酸化炭素濃度が第１閾値よりも低いか否かを判断するステップＳ６６２では、貯蔵庫１０内の空気の二酸化炭素濃度が二酸化炭素濃度の第１閾値よりも低いか否かを判断する。二酸化炭素濃度が二酸化炭素濃度の第１閾値よりも低い場合には、二酸化炭素濃度を上げるステップＳ６６３に進む。
【０１５０】
二酸化炭素濃度を上げるステップＳ６６３では、貯蔵庫１０内の空気の二酸化炭素濃度が二酸化炭素濃度の第１閾値以上になるように、貯蔵庫１０に二酸化炭素ガスを供給する。
【０１５１】
貯蔵庫１０内の空気の酸素濃度を初期設定するステップＳ１、貯蔵庫１０内の空気の二酸化炭素濃度を初期設定するステップＳ３、並びに、貯蔵庫１０内の空気の酸素濃度および二酸化炭素濃度を調節するステップＳ６において、貯蔵庫１０の外部から貯蔵庫１０内にガス（窒素ガス、二酸化炭素ガスおよび貯蔵庫１０の外部の空気）を供給する際には、貯蔵庫１０の外部から貯蔵庫１０内へのガスの供給に伴って、貯蔵庫１０内の空気を貯蔵庫１０の外部へ排出する。
【０１５２】
本実施形態に係る青果物の上述した貯蔵方法は、制御手段４００を使用して行う。
【０１５３】
（作用・効果）
本実施形態に係る青果物の貯蔵装置１および青果物の貯蔵方法は、低温環境下の貯蔵庫内において、貯蔵庫内の空気の酸素濃度および二酸化炭素濃度を低酸素濃度および高二酸化炭素濃度に調節して、青果物を貯蔵する。これにより、青果物の呼吸作用を抑制して、貯蔵されている青果物内で生化学反応が進行することを抑止できる。
【０１５４】
さらに、本実施形態に係る青果物の貯蔵装置１および青果物の貯蔵方法は、脂肪族多価アルコールを含む調湿液１１０の濃度を調節し、濃度を調節した調湿液１１０と貯蔵庫１０内の空気とを気液接触させる。
【０１５５】
これにより、本実施形態に係る青果物の貯蔵装置１および青果物の貯蔵方法によれば、湿度が調節された空気中に過剰な水分が含まれることを防止しつつ、貯蔵庫１０内の空気の湿度を調節できる。そのため、本実施形態に係る青果物の貯蔵装置１および青果物の貯蔵方法は、貯蔵庫１０内の空気の湿度を調節することに起因して、貯蔵庫１０内にミストが発生・浮遊することを防止できる。よって、本実施形態に係る青果物の貯蔵装置１および青果物の貯蔵方法は、貯蔵庫１０内の空気に含まれる高濃度の二酸化炭素が、貯蔵庫１０内に浮遊するミストに溶解して、ミストが酸性化し、貯蔵されている青果物に付着することを抑制できる。したがって、本実施形態に係る青果物の貯蔵装置１および青果物の貯蔵方法によれば、低温環境下においてＣＡ法を適用して青果物を貯蔵する際に、貯蔵庫１０内の空気の湿度を調節することに起因して貯蔵庫１０内にミストが発生・浮遊することを防止して、酸性化したミストが貯蔵されている青果物に付着することを抑制し、もって、青果物の鮮度を長期に保持できる。
【０１５６】
付言すれば、貯蔵庫内の空気の湿度を調節するために、貯蔵庫内の空気に微細液滴を放出して気化させる装置、例えば、超音波式の加湿器のような装置を使用した場合、特に５℃程度以下の低温において、放出された微細液滴の気化が困難となり、放出された微細液滴がミストとなって貯蔵庫内に浮遊する。また、液体（例えば水）を加熱して加湿する、いわゆる気化式の加湿器を使用した場合、貯蔵庫内の空気が過剰な加湿状態となり、特に、貯蔵庫内の空気の温度が変化した際に、貯蔵庫内にミストが発生し易い。
【０１５７】
一方、本実施形態に係る青果物の貯蔵装置１および青果物の貯蔵方法によれば、濃度を調節した調湿液１１０と貯蔵庫１０内の空気とを気液接触させた際に、調湿液１１０の水蒸気圧が、気液接触される空気の水蒸気圧よりも高いときは、調湿液１１０側から空気側に水分が蒸発する。逆に、調湿液１１０の水蒸気圧が、気液接触される空気の水蒸気圧よりも低いときは、空気側から調湿液１１０側に水分が吸収される。そのため、本発明に係る青果物の貯蔵装置１および青果物の貯蔵方法によれば、湿度が調節された空気中に過剰な水分が含まれることを防止できる。さらに、本発明に係る青果物の貯蔵装置１および青果物の貯蔵方法は、貯蔵庫１０内の空気に飽和できなくなった過剰な水分が、調湿液１１０側に自律的に吸収・凝縮される。その結果、本実施形態に係る青果物の貯蔵装置１および青果物の貯蔵方法によれば、貯蔵庫１０内にミストが発生・浮遊することを防止できる。当該効果は、−３〜１０℃程度の低温環境下において、貯蔵庫１０内の空気の湿度を７０〜９８％の高湿度に調節する際に、特に顕著である。
【０１５８】
また、本実施形態に係る青果物の貯蔵装置１および青果物の貯蔵方法によれば、貯蔵庫１０内の空気の温度を調節する際には、貯蔵庫１０内の空気と気液接触される調湿液１１０の温度を調節することによって、貯蔵庫１０内の空気の温度を調節する。これにより、貯蔵庫１０内の空気の温度を高精度に調節・維持できる。そのため、貯蔵庫１０内の空気の温度が変動することに伴って、貯蔵庫１０内の空気に含まれる水分が凝縮することを防止できる。したがって、本実施形態に係る青果物の貯蔵装置１および青果物の貯蔵方法によれば、貯蔵庫１０内にミストが浮遊することをさらに確実に防止できる。
【０１５９】
付言すれば、貯蔵庫内の空気の温度を調節するために、貯蔵庫１０内の空気の温度が所定の温度を上回った場合に、例えば冷却フィンによる空気冷却器等の冷却設備を稼働させることによって、貯蔵庫内の空気の温度を断続的に冷却する場合、冷却設備が稼働している時と、冷却設備が稼働していない時との間で、貯蔵庫内の空気の温度が変動する。貯蔵庫内の空気の温度が変動すると、貯蔵庫内の空気の温度が下がった際に、貯蔵庫内の空気の温度が露点温度よりも低くなり易いため、貯蔵庫内の空気に含まれる水分が凝縮して、貯蔵庫内にミストが発生し易い。
【０１６０】
一方、本実施形態に係る青果物の貯蔵装置１および青果物の貯蔵方法によれば、貯蔵庫１０内の空気と気液接触される調湿液１１０の温度を調節することによって、貯蔵庫１０内の空気の温度が連続的に調節される。そのため、貯蔵庫１０内の空気の温度が変動することなく、貯蔵庫１０内の空気の温度を高精度に調節・維持できる。したがって、本実施形態に係る青果物の貯蔵装置１および青果物の貯蔵方法によれば、貯蔵庫内にミストが発生・浮遊することをさらに確実に防止できる。
【０１６１】
さらに付言すれば、冷却設備を使用して貯蔵庫内の空気を冷却する際には、一般的に、貯蔵庫内の空気を冷却設備に供給し、当該冷却設備において貯蔵庫内の空気を冷却し、冷却した空気を貯蔵庫内に還流させる。このとき、貯蔵庫内に還流される冷却された空気は、冷却された空気が還流される前に貯蔵庫内に存在していた空気の温度よりも低い。そのため、貯蔵庫内に存在していた空気に冷却された空気が混合されると、貯蔵庫内に存在していた空気の温度が低下して、当該空気に含まれていた水分が凝縮し、貯蔵庫内にミストとなって浮遊する。しかも、冷却設備において貯蔵庫内の空気を露点よりも低い温度に冷却した場合、貯蔵庫内の空気に含まれる水分が凝縮して除湿されるため、貯蔵庫内の空気の湿度を高精度に維持できない。
【０１６２】
一方、本実施形態に係る青果物の貯蔵装置１および青果物の貯蔵方法によれば、貯蔵庫１０内の空気と気液接触される調湿液１１０の温度を調節することによって、貯蔵庫１０内の空気の温度が調節される。そのため、調湿液１１０の温度は、貯蔵庫１０内の空気の温度と同じか低い。そのため、貯蔵庫１０内の空気を冷却することに伴って、当該空気に含まれていた水分が凝縮し、貯蔵庫１０内にミストとなって浮遊することを防止できる。しかも、調湿液１１０の温度に依存することなく、気液接触された貯蔵庫１０内の空気の水蒸気圧と調湿液１１０の水蒸気圧とは、気液接触手段１２０において均衡する。そのため、貯蔵庫１０内の空気の温度を調節した際に、貯蔵庫１０内の空気の水蒸気圧が飽和水蒸気圧を超える（貯蔵庫１０内の空気の温度が露点温度を下回る）ことが回避される。そのため、貯蔵庫１０内の空気の湿度を高精度に維持しつつ、貯蔵庫１０内の空気の温度を調節できる。
【０１６３】
また、本実施形態に係る青果物の貯蔵装置１および青果物の貯蔵方法によれば、ガス濃度調節手段３００は、貯蔵庫１０内の空気の酸素濃度を調節する酸素濃度調節部３１０を有する。そして、酸素濃度調節部３１０は、貯蔵庫１０内に窒素ガスを供給する窒素ガス供給部３２０と、貯蔵庫１０内の空気の酸素濃度を計測する酸素濃度計測部３３０と、を有する。
【０１６４】
これにより、本実施形態に係る青果物の貯蔵装置１および青果物の貯蔵方法は、貯蔵庫１０内に窒素ガスを供給するという簡便かつコストの低い方法により、貯蔵庫１０内の空気の酸素濃度を調節できる。そのため、本実施形態に係る青果物の貯蔵装置１および貯蔵方法によれば、簡便かつコストの低い方法によって、青果物の鮮度をより長期に保持できる。
【０１６５】
また、本実施形態に係る青果物の貯蔵装置１および青果物の貯蔵方法によれば、貯蔵庫１０は、当該貯蔵庫１０の底面ＳＢ側に配置され、窒素ガス供給部３２０に接続されたガス取り入れ部５０と、当該貯蔵庫１０の上面ＳＵ側に配置され、当該貯蔵庫１０内の上面ＳＵ側の空気を貯蔵庫１０の外部に排出するガス排出部６０と、を有する。
【０１６６】
これにより、本実施形態に係る青果物の貯蔵装置１および青果物の貯蔵方法によれば、貯蔵庫１０内に窒素ガスが供給されたときに、窒素ガスが供給されて酸素濃度が低下した貯蔵庫１０の底面ＳＢ側の空気（図５においてＡＬ１で示す層の空気）と比較して、酸素濃度が高い貯蔵庫１０の上面ＳＵ側の空気（図５においてＡＬ２で示す層の空気）を、貯蔵庫１０の外部に排出できる。そのため、本実施形態に係る青果物の貯蔵装置１および青果物の貯蔵方法によれば、貯蔵庫１０内の空気の酸素濃度をより効率的に低下させることができるから、貯蔵庫１０内の空気の酸素濃度をより迅速に調節できる。
【０１６７】
また、本実施形態に係る青果物の貯蔵装置１および青果物の貯蔵方法によれば、ガス取り入れ部５０は、貯蔵空間ＳＡの床面を構成する床板５２と、貯蔵庫１０の底面ＳＢと床板５２との間に底面側の空間部５３と、を備えた二重床５１と、底面側の空間部５３に配置され、窒素ガス供給部３２０に接続されたガス流出パイプ５５と、を有する。そして、床板５２は、底面側の空間部５３に臨む面５２ａから貯蔵空間ＳＡに臨む面５２ｂに向かって連通する複数の床板開口部５４を有し、ガス流出パイプ５５は、窒素ガス供給部３２０から供給された窒素ガスを底面側の空間部５３に流出させる。
【０１６８】
これにより、窒素ガス供給部３２０は、貯蔵庫１０の底面ＳＢ側から貯蔵庫１０内に、貯蔵空間ＳＡの床面にわたって、より均一な流量で窒素ガスを供給できる。そのため、貯蔵庫１０内の空気の酸素濃度が、貯蔵庫１０内の全体にわたってより均一になる。その結果、貯蔵庫１０内の空気の酸素濃度をより高精度に調節できる。
【０１６９】
また、本実施形態に係る青果物の貯蔵装置１および青果物の貯蔵方法によれば、酸素濃度の初期設定は、貯蔵庫内の空気の撹拌を停止した状態で行う。
【０１７０】
これにより、本実施形態に係る青果物の貯蔵装置１および青果物の貯蔵方法は、貯蔵庫１０において青果物の貯蔵を開始する際に、貯蔵庫１０内の空気の酸素濃度を、青果物の貯蔵に適した酸素濃度へと迅速かつ高精度に初期設定できる。
【０１７１】
また、本実施形態に係る青果物の貯蔵装置１および青果物の貯蔵方法によれば、貯蔵庫内の空気の酸素濃度を初期酸素濃度に初期設定する際には、窒素ガスを供給することによって変化した貯蔵庫内の空気の酸素濃度を計測し、計測した貯蔵庫内の空気の酸素濃度が初期酸素濃度に達したときに窒素ガスの供給を停止する。そして、貯蔵庫内の空気の酸素濃度を計測する際には、貯蔵庫内に供給された窒素ガスの量を計測し、窒素ガスが供給される前の貯蔵庫内の空気の酸素濃度と、計測された窒素ガスの量と、に基づいて、窒素ガスを供給することによって変化した貯蔵庫内の空気の酸素濃度を算出する。
【０１７２】
これにより、本実施形態に係る青果物の貯蔵装置１および青果物の貯蔵方法によれば、貯蔵庫内の空気の撹拌を停止した状態で貯蔵庫１０内に窒素ガスを供給することによって、貯蔵庫１０内の空気の酸素濃度が貯蔵庫１０の全体にわたって不均一になった場合であっても、窒素ガスが供給されることによって変化した貯蔵庫１０内の酸素濃度をより精度よく算出できる。
【０１７３】
また、本実施形態に係る青果物の貯蔵装置１および青果物の貯蔵方法によれば、貯蔵庫１０内に供給された窒素ガスの量を計測する際には、貯蔵庫１０内に配置された酸素濃度計３３１を鉛直方向Ｚに沿って上下に移動することによって、貯蔵庫１０内の空気の酸素濃度の鉛直方向Ｚにおける変化を計測し、計測された酸素濃度が、第１酸素濃度から、前記第１酸素濃度よりも低い第２酸素濃度に変化する酸素濃度境界ＯＢの鉛直方向Ｚにおける位置を検出し、検出された酸素濃度境界ＯＢの鉛直方向Ｚにおける位置から、貯蔵庫１０内に供給された窒素ガスの量を算出する。
【０１７４】
これにより、本実施形態に係る青果物の貯蔵装置１および青果物の貯蔵方法によれば、酸素濃度境界ＯＢの鉛直方向Ｚにおける位置を検出するという簡便かつコストの低い方法によって、窒素ガス供給部３２０により貯蔵庫１０内に供給された窒素ガス量を計測できる。
【０１７５】
また、本実施形態に係る青果物の貯蔵装置１および貯蔵方法によれば、貯蔵庫１０内の空気の酸素濃度を初期酸素濃度に初期設定する際には、窒素ガスを冷却し、冷却した窒素ガスを貯蔵庫１０の底面ＳＢ側から貯蔵庫１０内に供給し、貯蔵庫１０の底面ＳＢ側に窒素ガスの層を形成するとともに、窒素ガスを貯蔵庫１０内に供給する前に貯蔵庫１０内に存在していた空気を貯蔵庫１０の上面側に移動させることによって、貯蔵庫１０内の空気を温度成層状態にし、貯蔵庫１０内の上面ＳＵ側の空気を貯蔵庫１０の外部に排出する。
【０１７６】
これにより、窒素ガスを貯蔵庫１０内に供給する前に貯蔵庫１０内に存在していた空気を貯蔵庫１０の上面ＳＵ側から貯蔵庫１０の外部に排出する際に、当該空気とともに、貯蔵庫１０内に供給された窒素ガスが貯蔵庫１０の外部に排出されることを回避できる。そのため、本実施形態に係る青果物の貯蔵装置１および貯蔵方法によれば、貯蔵庫１０内の空気の酸素濃度をより迅速に初期設定できる。また、本実施形態に係る青果物の貯蔵装置１および貯蔵方法によれば、貯蔵庫１０内の空気の酸素濃度を初期設定するために貯蔵庫１０内に供給される窒素ガスの量を削減できるから、貯蔵庫１０内の空気の酸素濃度を低コストに初期設定できる。
【０１７７】
さらに、本実施形態に係る青果物の貯蔵装置１および貯蔵方法によれば、貯蔵庫１０内の空気が温度成層状態になることによって酸素濃度境界ＯＢがより明確に形成されから、酸素濃度境界ＯＢの鉛直方向Ｚにおける位置をより高精度に検出できる。そのため、本実施形態に係る青果物の貯蔵装置１および貯蔵方法によれば、貯蔵庫１０内の空気の酸素濃度をより高精度に初期酸素濃度に初期設定できる。
【０１７８】
また、本実施形態に係る青果物の貯蔵装置１および貯蔵方法によれば、湿度調節手段１００は、貯蔵庫１０内の空気の相対湿度を７０〜９８％の範囲内に調節し、温度調節手段２００は、貯蔵庫１０内の空気の温度を−３〜１５℃の範囲内に調節し、ガス濃度調節手段３００は、貯蔵庫１０内の空気の酸素濃度を０〜２０％の範囲内に調節するとともに、貯蔵庫１０内の空気の二酸化炭素濃度を０〜１０％の範囲内に調節する。
【０１７９】
これにより、本実施形態に係る青果物の貯蔵装置１および貯蔵方法を、青果物の鮮度を長期に保持する目的において、より好適に使用できる。
【０１８０】
また、本実施形態に係る青果物の貯蔵装置１および貯蔵方法において、青果物は、柑橘類である。これにより、本実施形態に係る青果物の貯蔵装置１および貯蔵方法は、柑橘類の鮮度を長期に保持する目的に好適に使用できる。
【０１８１】
また、本実施形態に係る青果物の貯蔵装置１および貯蔵方法によれば、青果物は、ヘベス（平兵衛酢。ヘベズとも呼ばれる。）である。これにより、本実施形態に係る青果物の貯蔵装置１および貯蔵方法は、ヘベスの鮮度を長期に保持する目的に好適に使用できる。
【０１８２】
また、本実施形態に係る青果物の貯蔵装置１および貯蔵方法によれば、湿度調節手段１００は、貯蔵庫１０内の空気の湿度を９６％に調節する。温度調節手段２００は、貯蔵庫１０内の空気の温度を５℃に調節する。ガス濃度調節手段３００は、貯蔵庫１０内の空気の酸素濃度を８〜１０％の範囲内に調節するとともに、貯蔵庫１０内の空気の二酸化炭素濃度を２〜６％の範囲内に調節する。これにより、本実施形態に係る青果物の貯蔵装置１および貯蔵方法は、柑橘類、特に、ヘベスの鮮度を長期に保持する目的に好適に使用できる。
【実施例】
【０１８３】
以下、本発明の一実施例を説明する。本実施例に係る青果物の貯蔵装置および貯蔵方法は、ヘベスを緑樹果として長期に保存することを目的に実施されたものである。
【０１８４】
ヘベスは、香酸柑橘類の一種である。香酸柑橘は、およそ１６０品種ある柑橘類の半数を占める。柑橘類の中で、特に市場性のある品種は、ユズ、スダチ、カボス、ヘベス、ジャバラなどである。ヘベスは、宮崎県特産の果樹であり、緑樹果の果汁は、さわやかな香味とほどよい酸味があり、食酢の代わりに用いられる。
【０１８５】
ヘベスは、８月頃に緑樹果の状態で収穫されるが、１０月頃になると黄色に変色してしまうため、ヘベスの緑樹果が市場に流通する時期は非常に限られている。そのため、例えば、鍋ものの季節になる１２月頃にはヘベスの緑樹果がほとんど手に入らないなど、需要時期と供給時期とが一致せず、市場機会を逃しているという現状がある。ヘベスを緑樹果として長期に保存できれば、ヘベスの商品価値が大幅に向上する。
【０１８６】
しかしながら、ヘベスは、果皮が薄く、呼吸作用および蒸散作用が活発なため、緑樹果として長期に保存するのが困難な青果物として知られており、実際、緑樹果として長期保存に成功した事例はほとんどなかった。本実施例は、ヘベスを緑樹果として長期に保存することを目的に実施されたものである。
【０１８７】
本実施例に係る青果物の貯蔵装置の構成について、以下に説明する。
【０１８８】
湿度調節手段は、貯蔵庫内の空気の相対湿度が９６±１％になるように調節した。湿度調節手段では、調湿液として、食品添加物用プロピレングリコール水溶液を使用した。湿度調節手段では、気液接触部として、旭化成ホームプロダクツ株式会社が製造しているサランロックを使用した。また、気液接触手段において、滴下部は、株式会社いけうち製の超低圧広角扇形ノズルを多数連結して構成した。湿度調節手段では、濃度調節手段は、プロピレングリコール水溶液の濃度が１０±２％程度となるように、プロピレングリコール水溶液の濃度を調節した。
【０１８９】
温度調節手段は、貯蔵庫内の空気の温度が５±０．５℃になるように調節した。温度調節手段は、プロピレングリコール水溶液の温度を調節することによって、貯蔵庫内の空気の温度を調節した。温度調節手段は、チラーによる直接冷却方式によって、プロピレングリコール水溶液の温度を調節した。
【０１９０】
ガス濃度調節手段は、目標酸素濃度を９％として、貯蔵庫内の空気の酸素濃度を調節した。ガス濃度調節手段は、目標二酸化炭素濃度を４％として、貯蔵庫内の空気の二酸化炭素濃度を調節した。
【０１９１】
次に、本実施例に係る青果物の貯蔵装置および貯蔵方法を使用して行ったヘベスの鮮度保持実験の結果を説明する。
【０１９２】
ヘベスは、８月に緑樹果の状態で収穫し、本実施例に係る青果物の貯蔵装置および貯蔵方法を使用して、約４ヶ月間貯蔵した。
【０１９３】
図１１は、貯蔵期間中の一日の貯蔵庫内の空気の相対湿度変化および温度変化を示す図である。なお、図１１は、一日のデータであるが、貯蔵期間中、貯蔵庫内の空気の相対湿度および温度は、おおむね、図１１に示すように推移した。
【０１９４】
図１１を参照して、貯蔵期間中、貯蔵庫内の空気の相対湿度は、９６±１％で安定していた。貯蔵期間中、貯蔵庫内に結露が生じることはなく、気液接触手段において調湿液と気液接触された空気に水分が過剰に含まれることはなかったものと推測される。
【０１９５】
貯蔵期間中、貯蔵庫内の空気の温度は、５±０．５℃で安定していた。
【０１９６】
貯蔵期間中、貯蔵庫内の空気の平均酸素濃度は１２．４％だった。貯蔵期間中、貯蔵庫内の空気の平均二酸化炭素濃度は、３．４％だった。
【０１９７】
図１２には、貯蔵開始から３ヶ月後および４ヶ月後の商品果率を示している。商品果率は、ヘベスの黄化具合や低温障害の有無、風味等に基づいて、商品として販売可能か否かを判断する官能試験である。商品果率の判定は、宮崎県日向市の日向農業協同組合（ＪＡ日向）のヘベスの商品可否を判断している専門の職員によって行われた。図１２には、比較例として、貯蔵庫内の空気の酸素濃度および二酸化炭素濃度を低酸素濃度および高二酸化炭素濃度に調節するＣＡ法を適用しなかった場合の貯蔵開始から３か月後および４ヶ月後の商品果率を示している。比較例に係る青果物の貯蔵装置および貯蔵方法は、ＣＡ法を適用しなかった点を除いて、本実施例に係る青果物の貯蔵装置および貯蔵方法と同じである。
【０１９８】
図１２は、本実施例に係る青果物の貯蔵装置および貯蔵方法を使用して貯蔵したヘベスの果皮の色の変化を示す外観写真である。図１２には、上述した変形例に係る青果物の貯蔵装置および貯蔵方法を使用して貯蔵したヘベスの果皮の色の変化を示す外観写真も並列して載せている。
【０１９９】
図１３は、本実施例に係る青果物の貯蔵装置および貯蔵方法を使用して貯蔵したヘベスの重量変化率の変化を示す図である。図１３を参照して、上述した比較例に係る青果物の貯蔵装置および貯蔵方法を使用して貯蔵したヘベスの重量変化率の変化も示している。
【０２００】
図１２に示すように、本実施例に係る青果物の貯蔵装置および貯蔵方法によれば、貯蔵開始から４ヶ月後においても、商品果率が８０％であった。そのため、本実施例に係る青果物の貯蔵装置および貯蔵方法によれば、ヘベスを緑樹果（図１２参照）として長期に貯蔵できることが明らかになった。
【０２０１】
一方、図１２を参照して、ＣＡ法を適用しなかった比較例に係る青果物の貯蔵装置および貯蔵方法では、貯蔵開始から２ヶ月経過した頃から、貯蔵されている一部のヘベスについて黄化が始まった。そして、図１２を参照して、貯蔵開始から３ヶ月後には、商品果率は０％となり、貯蔵されているヘベスの全てが黄化し、ヘベスを緑樹化として長期に貯蔵することはできなかった。
【０２０２】
また、図１３を参照して、本実施例に係る青果物の貯蔵装置および貯蔵方法によれば、ＣＡ法を適用しなかった比較例に係る青果物の貯蔵装置および貯蔵方法と比較して、ヘベスの重量変化率の変化も小さかった。このことからも、本実施例に係る青果物の貯蔵装置および貯蔵方法が、ヘベスの長期貯蔵に適していることが裏付けられた。
【０２０３】
以上述べたように、本実施例に係る青果物の貯蔵装置および貯蔵方法は、ヘベスを緑樹果として長期に貯蔵できることが分かった。ヘベスは、果皮が薄く、呼吸作用および蒸散作用が活発なため、緑樹果として長期に保存するのが困難な青果物の一つである。したがって、本発明に係る青果物の貯蔵装置および貯蔵方法は、ヘベス以外の青果物であっても、長期に鮮度保持できるものと考えられる。少なくとも、本発明に係る青果物の貯蔵装置および貯蔵方法は、ヘベス以外の柑橘類であっても、長期に鮮度保持できるものと考えられる。
【０２０４】
また、一般に、柑橘類を長期に貯蔵する場合には、貯蔵する前に、必ず「予措」という処理が行われる。「予措」とは、柑橘類の果皮を乾燥させる処理である。予措を行うことにより、果皮の気孔が収縮され、貯蔵される柑橘類の呼吸量を抑制できる。しかしながら、予措を行うと果皮が乾燥してしまうため、貯蔵される柑橘類の外観が損なわれる。そのため、例えば、ヘベスのように外観が重視されるような柑橘類の場合、予措によって商品価値が減少する可能性がある。
【０２０５】
上述したように、本実施例に係る青果物の貯蔵装置および貯蔵方法によれば、柑橘類の中でも特に、呼吸作用および蒸散作用が活発なヘベスを長期に貯蔵できる。よって、本発明に係る青果物の貯蔵装置および貯蔵方法によれば、「予措」を行うことなく、柑橘類の鮮度を長期に保持できるものと推測される。そのため、本発明に係る青果物の貯蔵装置および貯蔵方法によれば、貯蔵前に果皮を乾燥させることに起因して貯蔵される柑橘類の外観が損なわれることを回避して、商品価値の高い状態を維持しつつ柑橘類を長期に貯蔵できるものと考えられる。
【０２０６】
さらに、ヘベスは、低温耐性が低く、低温障害に弱い青果物としても知られている。本実施例に係る青果物の貯蔵装置および貯蔵方法によれば、商品果として判断されたヘベスには、低温障害は確認されなかった。そのため、本発明に係る青果物の貯蔵装置および貯蔵方法は、低温障害に弱い青果物の長期の鮮度保持に対しても有効であると推測される。
【０２０７】
以上、実施形態および実施例を通じて青果物の貯蔵装置および青果物の貯蔵方法を説明したが、本発明は実施形態およびその変形例において説明した構成のみに限定されることはなく、特許請求の範囲の記載に基づいて適宜変更することが可能である。
【０２０８】
例えば、上述した実施形態では、窒素供給器は窒素ガスボンベであった。しかしながら、窒素供給器の種類は特に限定されず、高圧フィルターを用いた公知の窒素ガス発生装置を使用してもよい。
【０２０９】
また、上述した実施形態では、二酸化炭素濃度を調節するステップにおいて、貯蔵庫内の空気の二酸化炭素濃度を調節した後に、酸素濃度を調整した。しかしながら、二酸化炭素濃度を調節するステップでは、酸素濃度を調節した後に二酸化炭素濃度を調整してもよい。
【０２１０】
また、上述した実施形態では、温度調節手段の冷却手段は、調湿液タンクから取り出した調湿液を冷却チラーの循環液として直接的に冷却する直接冷却方式であった。しかしながら、温度調節手段の冷却手段は、冷却チラー内を循環する冷却用媒体と調湿液との間で熱交換を行う間接冷却方式であってもよい。また、温度調節手段の冷却手段は、調湿液タンクに収容されている調湿液と貯蔵庫の外部との間で熱交換する液冷媒を、調湿液タンク内で直接膨張させて、その潜熱によって、調湿液タンクに収容されている調湿液を冷却させてもよい。
【０２１１】
また、上述した実施形態では、温度調節手段は、湿度調節手段において貯蔵庫内の空気を気液接触される調湿液の温度を調節することによって、貯蔵庫内の空気の温度を調節した。すなわち、上述した実施形態では、貯蔵庫内の空気の湿度調節に伴って、貯蔵庫内の空気の温度も調節された。しかしながら、温度調節手段は、公知の空調設備を使用して、湿度調節手段から独立して直接的に貯蔵庫内の空気を冷却してもよい。なお、上述した実施形態のように、貯蔵庫内の空気と気液接触される調湿液の温度を調節することによって貯蔵庫内の空気の温度を調節する方法の方が、温度の調節精度の観点では、より優れている。
【符号の説明】
【０２１２】
１        貯蔵装置、
１０      貯蔵庫、
２０      送風手段、
５０      ガス取り入れ部、
５１      二重床、
５２      床板、
５２ａ    空間部に臨む面、
５２ｂ    貯蔵空間に臨む面、
５３      空間部、
５４      床板開口部、
６０      ガス排出部、
１００    湿度調節手段、
１１０    調湿液、
１２０    気液接触手段、
２００    温度調節手段、
３００    ガス濃度調節手段、
３１０    酸素濃度調節部、
３２０    窒素ガス供給部、
３３０    酸素濃度計測部、
３３１    酸素濃度計、
３４０    窒素ガス冷却部、
４００    制御手段、
ＯＢ      酸素濃度境界、
ＳＡ      貯蔵空間、
ＳＢ      貯蔵庫の底面。
【図１】
2018169124.tif 000003
【図２】
2018169124.tif 000004
【図３】
2018169124.tif 000005
【図４】
2018169124.tif 000006
【図５】
2018169124.tif 000007
【図６】
2018169124.tif 000008
【図７】
2018169124.tif 000009
【図８】
2018169124.tif 000010
【図９】
2018169124.tif 000011
【図１０】
2018169124.tif 000012
【図１１】
2018169124.tif 000013
【図１２】
2018169124.tif 000014
【図１３】
2018169124.tif 000015